(57)【要約】【課題】通常撮影とライブビュー撮影との両方の撮影方法に効果的に対応可能であり、簡易な構成でかつ小型の電子先幕シャッタ装置を備えた撮像装置を提供すること。【解決手段】開口部を閉鎖する方向に羽根駆動部材を付勢する付勢部材と、付勢部材をチャージするチャージ部材と、開口部を開放する状態で羽根駆動部材を保持する電磁保持手段と、を有する。撮影動作を開始する場合、撮像装置は第１の状態、第２の状態および第３の状態の順に変化し、第１の状態は、付勢部材の付勢力によって開口部を閉鎖する状態であり、第２の状態は、第１の状態からチャージ部材が回動することで、付勢部材がチャージされ、開口部を開放する状態であり、第３の状態は、付勢部材がチャージされた状態で電磁保持手段が羽根駆動部材を保持し、第２の状態からチャージ部材が回動することで、チャージ部材と羽根駆動部材との当接が解除される状態である。【選択図】図２
2015072407.tif 000002
【特許請求の範囲】
【請求項１】
シャッタ開口部を閉状態と開状態にする羽根群と、
前記羽根群を駆動する羽根駆動部材と、
前記羽根群が前記シャッタ開口部を閉鎖する方向に前記羽根駆動部材を付勢する付勢部材と、
所定の方向に回動することで、前記羽根群が前記シャッタ開口部を開放する方向に前記羽根駆動部材を駆動して前記付勢部材をチャージするチャージ部材と、
磁力によって前記羽根群が前記シャッタ開口部を開放する状態で前記羽根駆動部材を保持する電磁保持手段と、を有する撮像装置であって、
撮影動作を開始する場合、前記撮像装置は第１の状態、第２の状態および第３の状態の順に変化し、
前記第１の状態は、前記付勢部材の付勢力によって前記羽根群が前記シャッタ開口部を閉鎖する状態であり、
前記第２の状態は、前記第１の状態から前記チャージ部材が回動することで、前記チャージ部材が前記羽根駆動部材を駆動し、前記付勢部材がチャージされ、前記羽根群が前記シャッタ開口部を開放する状態であり、
前記第３の状態は、前記付勢部材がチャージされた状態で前記電磁保持手段が前記羽根駆動部材を保持し、前記第２の状態から前記チャージ部材が回動することで、前記チャージ部材と前記羽根駆動部材との当接が解除される状態であることを特徴とする撮像装置。
【請求項２】
受光した光を電荷として蓄積する撮像素子と、
前記撮像素子に撮像した被写体像を表示する表示部と、を更に有し、
前記撮像装置は、
前記撮像素子からの被写体像をリアルタイムに前記表示部に表示するライブビューモードが選択されると、前記撮像装置は前記第１の状態から前記第２の状態に変化し、
前記ライブビューモードにおいて撮影を行う場合、前記撮像装置は前記第２の状態、前記第３の状態および前記第１の状態の順に変化することを特徴とする請求項１に記載の撮像装置。
【請求項３】
前記撮影動作を開始すると、前記チャージ部材は、第１の回転速度で回転し、
前記撮像装置が前記第１の状態から前記第２の状態に変化すると、前記チャージ部材は前記第１の回転速度より遅い第２の回転速度で回転し、
前記電磁保持手段が前記羽根駆動部材を保持すると、前記チャージ部材は前記第１の回転速度で回転することを特徴とする請求項１に記載の撮像装置。
【請求項４】
前記撮像装置が前記第３の状態に変化した後、前記撮像素子は電荷の蓄積を開始し、所定時間後、前記電磁保持手段による前記羽根駆動部材の保持を解除することを特徴とする請求項１から３のいずれか１項に記載の撮像装置。
【請求項５】
前記撮像素子の電荷読み出し完了後、前記撮像装置が前記第１の状態から前記第２の状態に変化することを特徴とする請求項１から４のいずれか１項に記載の撮像装置。
【請求項６】
撮影光束が入射されるミラーアップ状態と、撮影光束から退避するミラーダウン状態との間を回動可能なミラー部材と、を更に有し、
前記ミラー部材は、前記第１の状態のとき前記ミラーダウン状態であり、前記第２および第３の状態のとき前記ミラーアップ状態であり、
前記撮像装置が前記第１の状態から前記第２の状態に変化する際、前記チャージ部材の前記羽根駆動部材に対するチャージの開始後、前記ミラー部材が前記ミラーダウン状態から前記ミラーアップ状態に回動することを特徴とする請求項１から５のいずれか１項に記載の撮像装置。
【請求項７】
前記チャージ部材は、前記羽根駆動部材と当接する第１のカム部材を備え、
前記羽根駆動部材が前記第１のカム部材に形成されたカム面を摺動することで前記付勢部材がチャージされることを特徴とする請求項１から６のいずれか１項に記載の撮像装置。
【請求項８】
前記チャージ部材は、前記ミラー部材と当接する第２のカム部材を備え、
前記ミラー部材が前記第２のカム部材に形成されたカム面を摺動することで前記ミラー部材は前記ミラーアップ状態から前記ミラーダウン状態に回動することを特徴とする請求項６または７に記載の撮像装置。
【請求項９】
請求項１から８のいずれか１項に記載の撮像装置と、
前記撮像装置に撮影光束を入射する撮像光学系と、を有することを特徴とするカメラシステム。
【発明の詳細な説明】
【技術分野】
【０００１】
本発明は、シャッタ装置を備えた撮像装置に関する。
【背景技術】
【０００２】
従来、撮像素子を用いた撮像装置には、撮影レンズを通過した被写体からの反射光が撮像素子へ到達する光路を制御するためのシャッタ装置が用いられている。
【０００３】
特許文献１では、フォーカルプレンシャッタ（以下、メカシャッタという）で構成された後幕と、後幕の走行に先行して撮像素子の画素の電荷蓄積開始走査を行う電子シャッタにより撮影を行う、いわゆる、電子先幕シャッタ装置が用いられている。
【０００４】
また、撮像装置には、撮影の際に被写体を観察するためのファインダとして、撮像素子で撮像した被写体像を液晶ディスプレイ等の表示部に表示する機能（以下、ライブビュー撮影という）を有するものがある。
【０００５】
特許文献２の電子先幕シャッタ装置は、後幕を駆動するための部材として、後幕に連結されてシャッタ開口部が開状態になるように付勢する作動部材と、露光時に作動部材をシャッタ開口部が閉状態になるように駆動する駆動部材を有する。さらに、後幕が露光終了状態の位置で作動部材を係止するための係止部材と、作動部材を係止状態のまま駆動部材のみを露光開始状態の位置へと駆動可能なチャージ部材を有する。このような構成を有することで、特許文献２の電子先幕シャッタ装置は、光学ファインダを覗いての通常撮影と液晶ディスプレイ等を用いたライブビュー撮影との両方の撮影方法に対応可能である。
【先行技術文献】
【特許文献】
【０００６】
【特許文献１】特開平１１−４１５２３号公報
【特許文献２】特開２００７−３１６５０３号公報
【発明の概要】
【発明が解決しようとする課題】
【０００７】
しかしながら、特許文献１に開示された撮像装置では、露光後に撮影前待機状態に戻すために駆動部材を駆動させた場合、シャッタ開口部が開状態になってしまう。そのため、撮像素子の電荷の読み出し終了後に駆動部材を駆動する必要があり、連写速度の速い撮影に対応することが困難である。また、撮影前待機状態においてはシャッタ開口部が常に開状態になるため、撮像素子に塵や埃が付着する懸念がある。
【０００８】
特許文献２に開示された電子先幕シャッタ装置は、二重遮光方式のシャッタ装置であるため、上述した不具合を回避することが可能である。しかしながら、後幕を駆動するための部品や係止部品など複数の部品が必要になるため、複雑な構成でかつ大型のシャッタ装置となってしまう。また、撮影のための各部品の制御方法も複雑になってしまう。
【０００９】
このような課題を鑑みて、本発明は、通常撮影とライブビュー撮影との両方の撮影方法に効果的に対応可能であり、簡易な構成でかつ小型の電子先幕シャッタ装置を備えた撮像装置を提供することを目的とする。
【課題を解決するための手段】
【００１０】
本発明の一側面としての撮像装置は、シャッタ開口部を閉状態と開状態にする羽根群と、前記羽根群を駆動する羽根駆動部材と、前記羽根群が前記シャッタ開口部を閉鎖する方向に前記羽根駆動部材を付勢する付勢部材と、所定の方向に回動することで、前記羽根群が前記シャッタ開口部を開放する方向に前記羽根駆動部材を駆動して前記付勢部材をチャージするチャージ部材と、磁力によって前記羽根群が前記シャッタ開口部を開放する状態で前記羽根駆動部材を保持する電磁保持手段と、を有する撮像装置であって、撮影動作を開始する場合、前記撮像装置は第１の状態、第２の状態および第３の状態の順に変化し、前記第１の状態は、前記付勢部材の付勢力によって前記羽根群が前記シャッタ開口部を閉鎖する状態であり、前記第２の状態は、前記第１の状態から前記チャージ部材が回動することで、前記チャージ部材が前記羽根駆動部材を駆動し、前記付勢部材がチャージされ、前記羽根群が前記シャッタ開口部を開放する状態であり、前記第３の状態は、前記付勢部材がチャージされた状態で前記電磁保持手段が前記羽根駆動部材を保持し、前記第２の状態から前記チャージ部材が回動することで、前記チャージ部材と前記羽根駆動部材との当接が解除される状態であることを特徴とする。
【発明の効果】
【００１１】
本発明によれば、通常撮影とライブビュー撮影との両方の撮影方法に効果的に対応可能であり、簡易な構成でかつ小型の電子先幕シャッタ装置を備えた撮像装置を提供することができる。
【図面の簡単な説明】
【００１２】
【図１】本発明の実施形態に係るカメラシステムの中央断面図である。
【図２】フォーカルプレンシャッタの分解斜視図である。
【図３】羽根駆動部材およびカムギアの近傍を示す図である。
【図４】各構成部品の動作タイミングを示す図である。
【図５】レリーズ前待機状態を示す図である。
【図６】羽根駆動部材を介して行う羽根駆動バネのチャージ開始を示す図である。
【図７】ミラー駆動レバーのダウン位置保持のロック解除開始を示す図である。
【図８】羽根駆動バネのチャージ完了、および、ミラーアップ完了状態を示す図である。
【図９】セット解除状態を示す図である。
【図１０】羽根走行中を示す図である。
【図１１】羽根走行完了状態を示す図である。
【図１２】ミラーダウン開始状態を示す図である。
【図１３】各構成部品の動作タイミングを示す図である。
【発明を実施するための形態】
【００１３】
以下、本発明の実施例について、図面を参照しながら詳細に説明する。各図において、同一の部材については同一の参照番号を付し、重複する説明は省略する。
【実施例１】
【００１４】
図１は、本発明の実施形態に係るカメラシステムの中央断面図である。カメラシステムは、デジタル一眼レフカメラ本体（以下、単にカメラ本体という）１および交換レンズ５を有する。
【００１５】
カメラ本体１に対して着脱可能な交換レンズ５は、カメラ本体１側のマウント部１１と交換レンズ５側のマウント部５１によって固定される。カメラ本体１に交換レンズ５が装着されると、カメラ本体１の接点部１２と交換レンズ５の接点部５２とが接触する。これにより電気的な接続がなされ、カメラ本体１は交換レンズ５が装着されたことを検知する。さらに、これらの接点部を介してカメラ本体１から交換レンズ５へ電力の供給や交換レンズ５を制御するための通信を行う。
【００１６】
交換レンズ５の撮影レンズ（撮像光学系）５３を透過した光束は、カメラ本体１のメインミラー（ミラー部材）１３に入射する。メインミラー１３は、メインミラー保持枠１６に固着された状態で、回転軸部１３ａによってミラーボックス（不図示）に回動可能に取り付けられている。メインミラー１３は、撮影光束をペンタプリズム９の方向へ導くために撮影光軸に対して４５°の角度に保持されるダウン位置と、撮像素子２３の方向へ導くために撮影光束から退避した位置に保持されるアップ位置との間を回動する。
【００１７】
メインミラー１３はハーフミラーとなっており、メインミラー１３を透過した光束は、サブミラー１４により下方へ反射され、焦点検出ユニット１５へと導かれる。サブミラー１４は、サブミラー保持枠１７に固着されている。サブミラー保持枠１７は、ヒンジ軸（不図示）によってメインミラー保持枠１６に対して回動可能に取り付けられている。焦点検出ユニット１５は、撮影レンズ５３のデフォーカス量を検出し、撮影レンズ５３を合焦状態にするためのレンズ駆動量を演算する。そして、その演算したレンズ駆動量を接点部１２および接点部５２を介して交換レンズ５へ送信すると、交換レンズ５はモータ（不図示）を制御し、撮影レンズ５３の一部であるフォーカスレンズを移動させることで焦点調節を行う。
【００１８】
また、撮影レンズ５３を透過した光束は、メインミラー１３で反射し、ファインダへと導かれる。メインミラー１３によってファインダへと導かれた光束は、ピント板１８に被写体像を結像する。使用者は、ペンタプリズム９および接眼レンズ２０を介してピント板１８上の被写体像を観察するように構成されている。
【００１９】
サブミラー１４の後方には、フォーカルプレンシャッタ１０が配置されている。フォーカルプレンシャッタ１０の後方には、光学ローパスフィルタ２１が配置されている。撮影時には、光学ローパスフィルタ２１を透過した光束が、撮像素子２３へと入射する。撮像素子２３は、受光した光を電荷として蓄積し、電荷蓄積開始走査（以下、電子先幕走行と呼ぶ）によって撮影の露光開始動作を行う。撮像素子ホルダー２２は、ビス（不図示）によってカメラ本体１の筐体に固定されており、撮像素子２３を保持している。カバー部材２４は、撮像素子２３を保護している。ゴム部材２５は、光学ローパスフィルタ２１を保持するとともに、光学ローパスフィルタ２１と撮像素子２３の間を密閉する。
【００２０】
図２は、フォーカルプレンシャッタ１０の分解斜視図である。図２（ａ）は被写体側から見た分解斜視図、図２（ｂ）は使用者側から見た分解斜視図、図２（ｃ）は部分分解斜視図である。
【００２１】
シャッタ地板１０１の中央部には、シャッタ開口部１０１ａが形成されている。シャッタ地板１０１に設けられた軸１０１ｂには、羽根駆動部材１１１、羽根作動部材１１５、ラチェット１１６が回転可能に取り付けられている。そのため、羽根駆動部材１１１と羽根作動部材１１５は、シャッタ地板１０１の軸１０１ｂに対し相互に回転可能である。図２（ｃ）に示されるように、ラチェット１１６と羽根駆動部材１１１の間にはねじりバネである羽根駆動バネ（付勢部材）１１４が配置され、羽根駆動部材１１１は図２（ｃ）において時計回り方向に付勢されている。シャッタ地板１０１に設けられた軸１０１ｃには、カムギア１２２が回転可能に取り付けられている。シャッタ地板１０１に形成された円弧状をした孔１０１ｄの上部には、ゴム等の材料で半月形状に形成された緩衝部材１０３が固定されている。
【００２２】
補助地板１３１は、軸１０１ｂ、１０１ｃに取り付けられている。補助地板１３１には、フォトセンサ１３２が取り付けられている。フォトセンサ１３２は、羽根駆動部材１１１に設けられた遮光部１１１ｂによって遮光されることで羽根駆動部材１１１の回転位置を検出する。補助地板１３１に設けられた軸１３１ａには、ミラー駆動レバー１３６が回転可能に取り付けられている。ビス１３７は、ミラー駆動レバー１３６が軸１３１ａから脱落しないように軸１３１ａの先端に固定されている。
【００２３】
また、補助地板１３１には、ヨーク１３３とコイル１３４がビス１３５により固定されている。ヨーク１３３とコイル１３４は電磁保持手段を構成しており、コイル１３４に電圧を印加することでヨーク１３３に磁力を発生させる。コイル１３４への電圧印加時、ヨーク１３３と羽根駆動部材１１１に設けられたアマチャ１１２は磁力によって吸着された状態となる。
【００２４】
ミラー駆動レバー１３６には、カムフォロワ１３６ａと、メインミラー駆動ピン１３ｂと当接する当接部１３６ｂが設けられている。ミラー駆動バネ１３９は、ミラー駆動レバー１３６に取り付けられ、ミラー駆動レバー１３６を図２（ａ）において時計回り方向すなわち上方向に付勢している。また、メインミラー付勢バネ１０７の一端がミラー駆動レバー１３６に取り付けられ、他端がメインミラー１３の回転軸部１３ａに取り付けられており、メインミラー１３は図２（ａ）において反時計回り方向すなわち下方向に付勢されている。
【００２５】
フレキシブルプリント基板（以下、単にＦＰＣという）１３８は、補助地板１３１に固定される接触部１３８ａでコイル１３４およびフォトセンサ１３２と接続されている。また、シャッタ地板１０１に固定される接触部１３８ｂと、カムギア１２２のシャッタ地板１０１側に設けられた位相接片１２３を用いることでカムギア１２２の回転位置を検出する。
【００２６】
シャッタ地板１０１の使用者側には、カバー板１０２が固定されている。カバー板１０２の中央部にはシャッタ地板１０１に形成されているシャッタ開口部１０１ａと略一致した位置に開口１０２ａが設けられている。シャッタ地板１０１とカバー板１０２の間には後羽根群を配置する羽根室が形成されており、２つの開口部を後羽根群が開状態と閉状態にすることで、シャッタを通過する光束を制限している。
【００２７】
後羽根群は、１番羽根１４１、２番羽根１４２、メインアーム１４３およびサブアーム１４４で構成されている。
【００２８】
１番羽根１４１と２番羽根１４２は、黒色塗料を含有するポリエチレンテフタレートから構成されている。また、１番羽根１４１と２番羽根１４２は、ピン１４５によってメインアーム１４３およびサブアーム１４４に回転可能に取り付けられており、平行リンクを形成している。
【００２９】
メインアーム１４３は、シャッタ地板１０１に設けられた軸１０１ｅに回転可能に取り付けられている。また、メインアーム１４３には、羽根駆動部材１１１に設けられた係合部１１１ａと係合するための穴１４３ａが形成されている。
【００３０】
サブアーム１４４は、シャッタ地板１０１に設けられた軸１０１ｆに回転可能に取り付けられている。また、サブアーム１４４には、羽根復帰バネ１４６が図２（ｂ）において時計回り方向すなわち後羽根群を重畳する方向に取り付けられている。なお、羽根復帰バネ１４６の付勢力は、羽根駆動バネ１１４の付勢力よりも弱くなるように設定されている。
【００３１】
羽根緩衝部材１０４は、シャッタ地板１０１に設けられた四角形の取り付け部１０１ｇに固定されており、後羽根群が重畳状態に遷移する際のストッパー部材として機能する。羽根緩衝部材１０４は、クロロプレンゴム、ブチルゴム、ポリウレタンゴム、シリコンゴム等のゴム材料、あるいは、エラストマー等の衝撃を吸収する材料から構成されている。羽根緩衝部材１０４の周囲は、金属、プラスティック等の羽根緩衝部材１０４より耐摩耗性の優れた材質のカバー部材で覆われている。
【００３２】
図３は、羽根駆動部材１１１およびカムギア１２２の近傍を示す図である。
【００３３】
カムギア１２２には、ミラーカム（第２のカム部材）１２２ａ、シャッタカム（第１のカム部材）１２２ｂ、ギア１２２ｃが設けられている。カムギア１２２は、チャージ部材として機能する。
【００３４】
カムギア１２２は、シャッタ地板１０１の軸１０１ｂと同一方向の出力軸を有するモータ１４７から、シャッタ地板１０１の軸１０１ｂと同一方向の回転軸を持つ複数の減速ギア列１４８を介してギア１２２ｃに伝達される駆動力によって一方方向に回転する。モータ１４７、減速ギア列１４８およびカムギア１２２の回転軸の向きは同一方向であり、ギア連結で繋がっているため、入力から出力までの伝達効率が良い。
【００３５】
ミラーカム１２２ａは、ミラー駆動レバー１３６を介してミラー駆動バネ１３９のチャージと解除動作を行う。ミラーカム１２２ａがカムフォロワ１３６ａと当接し、この状態でカムギア１２２が回転すると、カムフォロワ１３６ａがミラーカム１２２ａに形成されたカム面を摺動し、ミラー駆動バネ１３９がチャージされる。したがって、ミラー駆動レバー１３６の往復回動により、メインミラー１３はアップ位置とダウン位置を回動する。
【００３６】
シャッタカム１２２ｂは、羽根駆動部材１１１を介して羽根駆動バネ１１４のチャージと解除動作を行う。シャッタカム１２２ｂが羽根駆動部材１１１に軸支されたコロ１１３と当接し、この状態でカムギア１２２が回転すると、コロ１１３がシャッタカム１２２ｂに形成されたカム面を摺動し、羽根駆動バネ１１４がチャージされる。したがって、羽根駆動部材１１１の往復回動により、後羽根群が展開状態および重畳状態となる。
【００３７】
シャッタカム１２２ｂは、ミラーカム１２２ａよりも撮影光軸１４９方向でシャッタ地板１０１側に設けられる。これにより、ミラー駆動レバー１３６とミラーカム１２２ａとの当接を容易に行うことが可能であると共に、カムギア１２２の形状を容易に形成可能となる。
【００３８】
次に、各構成部品の動作を説明する。図４は、各構成部品の動作タイミングである。なお、図４に示す（１）〜（１３）の状態は、後述する各作動状態に対応している。
【００３９】
まず、通常撮影モードの場合について説明する。
（１）待機状態
図５は、レリーズ前待機状態を示す図である。図５（ａ）は被写体側から見た図、図５（ｂ）は使用者側から見た図である。
【００４０】
カムギア１２２は、図に示す位置で停止している。羽根駆動部材１１１に軸支されたコロ１１３は、カムギア１２２のシャッタカム１２２ｂとの当接が解除された状態にある。
【００４１】
羽根駆動部材１１１は、羽根駆動バネ１１４の付勢力により図５（ａ）において反時計回りに付勢されており、羽根駆動部材１１１の係合部１１１ａがシャッタ地板１０１の円弧状をした孔１０１ｄの上部の緩衝部材１０３に当接した状態にある。
【００４２】
このとき、羽根駆動部材１１１の係合部１１１ａに連結された後羽根群は、シャッタ地板１０１のシャッタ開口部１０１ａおよびカバー板１０２の開口１０２ａを閉鎖する展開状態となっている。また、コイル１３４への通電は、遮断されている。
【００４３】
ミラー駆動レバー１３６は、ミラー駆動バネ１３９の付勢力によりカムフォロワ１３６ａがカムギア１２２のミラーカム１２２ａのカムトップ部と当接することでダウン位置に保持されている。メインミラー１３は、メインミラー付勢バネ１０７によりダウン方向に付勢され、不図示のストッパーと当接しダウン位置に保持されている。メインミラーの回転軸部１３ａとミラー駆動レバー１３６の当接部１３６ｂとの間には隙間が空いている。そのため、ミラー駆動レバー１３６の位置に誤差が生じてもメインミラー１３の位置は不図示のストッパーにより正しい位置に保持され、カメラの撮影レンズを通過した光束はメインミラー１３によりペンタプリズム９に導かれる。
【００４４】
撮影動作の開始により、モータ１４７に通電し、減速ギア列１４８を介してカムギア１２２を回転させ、「（２）羽根駆動部材チャージ開始状態」に遷移する。
【００４５】
以上、上述した状態が第１の状態であり、シャッタカム１２２ｂと羽根駆動部材１１１が当接を解除し、コイルへ１３４の通電が遮断された状態となっている。また、ミラーカム１２２ａとミラー駆動レバー１３６が当接した状態となっている。
（２）羽根駆動部材チャージ開始状態
図６は、羽根駆動部材１１１を介して行う羽根駆動バネ１１４のチャージ開始を示す図である。図６（ａ）は被写体側から見た図、図６（ｂ）は使用者側から見た図である。なお、レリーズ前待機状態からから変化のある部分について説明し、変化のない部分については説明を省略する。
【００４６】
カムギア１２２の回転により、シャッタカム１２２ｂが羽根駆動部材１１１に軸支されたコロ１１３と当接する。羽根駆動部材１１１は、羽根駆動バネ１１４の付勢力に抗して図６（ａ）においてシャッタ地板１０１に形成された軸１０１ｂを中心に反時計回りに回転し始める。
【００４７】
さらにモータ１４７への通電を継続し、減速ギア列１４８を介してカムギア１２２を回転させると、「（３）ミラー駆動レバーロック解除状態」に遷移する。
（３）ミラー駆動レバーロック解除開始状態
図７は、ミラー駆動レバー１３６のダウン位置保持のロック解除開始を示す図である。図７（ａ）は被写体側から見た図、図７（ｂ）は使用者側から見た図である。
【００４８】
カムギア１２２の回転に伴い、ミラー駆動レバー１３６のカムフォロワ１３６ａとカムギア１２２のミラーカム１２２ａのカムトップ面との当接が解除され始める。ミラー駆動レバー１３６は、ミラー駆動バネ１３９の付勢力により図７（ａ）において補助地板１３１の軸１３１ａを中心に時計回りに回転し始める。
【００４９】
カムギア１２２のシャッタカム１２２ｂは羽根駆動部材１１１に軸支されたコロ１１３と当接しており、羽根駆動部材１１１は羽根駆動部材チャージ開始状態に比べて図７（ａ）において反時計回りに回転した状態となっている。このとき、後羽根群はシャッタ地板１０１のシャッタ開口部１０１ａおよびカバー板１０２の開口１０２ａの下側に重畳された状態へ遷移する途中である。
【００５０】
ストロボを使用しての撮影時には、「（１）待機状態」または「（２）羽根駆動部材チャージ開始状態」から「（３）ミラー駆動レバーロック解除状態」に遷移する間に、測光動作を行う。不図示のストロボで予備発光を行い、被写体で反射されてカメラの撮影レンズを通過した光束はミラーダウン状態であるメインミラー１３によりファインダ近傍に設けられた不図示の測光センサーに導かれ、測光が行われる。これにより、測光によるレリーズタイムラグへの影響を抑えることができる。
【００５１】
さらにモータ１４７への通電を継続し、減速ギア列１４８を介してカムギア１２２を回転させ、「（４）ミラー駆動レバーとメインミラーとの当接状態」に遷移する。
（４）ミラー駆動レバーとメインミラーとの当接状態
ミラー駆動レバー１３６が所定量回転した後、ミラー駆動レバー１３６の当接部１３６ｂがメインミラー駆動ピン１３ｂと当接し、メインミラー１３は上昇を始める。
【００５２】
さらにモータ１４７への通電を継続し、減速ギア列１４８を介してカムギア１２２を回転させ、「（５）羽根駆動部材チャージ完了状態、および、ミラーアップ完了状態」に遷移する。
（５）羽根駆動部材チャージ完了状態、および、ミラーアップ完了状態
図８は、羽根駆動部材１１１を介して行う羽根駆動バネ１１４のチャージ完了、および、ミラーアップ完了状態を示す図である。図８（ａ）は被写体側から見た図、図８（ｂ）は使用者側から見た図である。
【００５３】
カムギア１２２の回転に伴い、羽根駆動部材１１１に軸支されたコロ１１３がカムギア１２２のシャッタカム１２２ｂのカムトップ部に到達する。このとき、羽根駆動部材１１１は、羽根駆動バネ１１４をチャージした状態で保持される。後羽根群は、シャッタ地板１０１のシャッタ開口部１０１ａおよびカバー板１０２の開口１０２ａの下側に重畳された状態となる。後羽根群が展開状態から重畳状態への遷移完了時、慣性による後羽根群に生じる変形を羽根緩衝部材１０４で受けることで抑えている。また、羽根駆動部材１１１に設けられたアマチャ１１２とヨーク１３３は当接した状態となっている。
【００５４】
メインミラー１３は不図示のストッパーに当接し、所定時間バウンドをした後に停止し、それに伴いミラー駆動レバー１３６はアップ位置で停止する。このとき、メインミラー１３はミラーアップ状態となり、後羽根群はシャッタ地板１０１のシャッタ開口部１０１ａおよびカバー板１０２の開口１０２ａを開放する重畳状態となる。
【００５５】
この状態でモータ１４７の回路をショートさせ、モータ１４７の回転を停止する制御を行った場合、各構成部品は停止し、ライブビュー撮影が可能な状態となる。ライブビュー撮影を行う際の動作については、後に詳細を説明する。なお、ファインダを覗いての通常撮影モードではこの停止動作は行わない。
【００５６】
さらにモータ１４７への通電を継続し、減速ギア列１４８を介してカムギア１２２を回転させ、「（６）コイル通電開始状態」に遷移する。
【００５７】
「（５）羽根駆動部材チャージ完了状態、および、ミラーアップ完了状態」から「（６）コイル通電開始状態」への遷移時には、モータ１４７への通電に関して電圧を下げ、カムギア１２２の回転速度を一旦減速しても良い。
【００５８】
以上、上述した状態が第２の状態であり、シャッタカム１２２ｂと羽根駆動部材１１１が当接した状態となっている。また、ミラーカム１２２ａとミラー駆動レバー１３６が当接解除した状態となっている。
（６）コイル通電開始状態
羽根駆動部材１１１に軸支されたコロ１１３がカムギア１２２のシャッタカム１２２ｂのカムトップ部と当接している状態で、コイル１３４への通電を開始し、ヨーク１３３に磁力を発生させてヨーク１３３とアマチャ１１２を吸着状態にする。
【００５９】
「（５）羽根駆動部材チャージ完了状態、および、ミラーアップ完了状態」にて、カムギア１２２の回転速度を減速した場合には、カムギア１２２の回転によるアマチャ１１２への振動が減少する。この状態で両部品の接触面の吸着が行われるため、吸着状態がより安定する。
【００６０】
さらにモータ１４７への通電を継続し、減速ギア列１４８を介してカムギア１２２を回転させ、「（７）セット解除状態」に遷移する。
【００６１】
前述した「（５）羽根駆動部材チャージ完了状態、および、ミラーアップ完了状態」にて、カムギア１２２の回転速度を減速した場合には、モータ１４７への通電に関して電圧を通常の電圧に戻すことでカムギア１２２の回転速度を戻す。
（７）セット解除状態
図９は、羽根駆動部材１１１のセット解除状態を示す図である。図９（ａ）は被写体側から見た図、図９（ｂ）は使用者側から見た図である。
【００６２】
カムギア１２２の回転に伴い、羽根駆動部材１１１に軸支されたコロ１１３は、カムギア１２２のシャッタカム１２２ｂのカムトップ部から離れる。すなわち、羽根駆動部材１１１とカムギア１２２のとの当接が解除される。
【００６３】
コイル１３４への通電が継続されているため、ヨーク１３３とアマチャ１１２は吸着状態が保持される。すなわち、後羽根群は重畳された状態で保持され、シャッタ地板１０１のシャッタ開口部１０１ａおよびカバー板１０２の開口１０２ａはともに開放された状態である。
【００６４】
この状態でモータ１４７の回路をショートさせ、モータ１４７の回転を停止する制御を行うと、各構成部品は停止する。
【００６５】
以上、上述した状態が第３の状態であり、シャッタカム１２２ｂと羽根駆動部材１１１が当接を解除し、コイル１３４が通電されている状態となっている。また、ミラーカム１２２ａとミラー駆動レバー１３６が当接した状態となっている。
【００６６】
次に、撮像素子２３による電子先幕走行を行い、撮影の露光開始動作を行う。撮影開始後、電子先幕走行までの時間がレリーズタイムラグとなる。電子先幕走行開始後、設定されたシャッタ秒時に対応する時間間隔をあけてから、コイル１３４の通電を遮断する。
（８）羽根走行開始状態〜羽根走行中
図１０は、羽根走行中を示す図である。図１０（ａ）は被写体側から見た図、図１０（ｂ）は使用者側から見た図である。
【００６７】
コイル１３４への通電を遮断することで、ヨーク１３３に発生する磁力がなくなり、アマチャ１１２とヨーク１３３の吸着は解除される。
【００６８】
羽根駆動部材１１１は、羽根駆動バネ１１４の付勢力により図１０（ａ）においてシャッタ地板１０１の軸１０１ｂを中心に反時計回りに回転する。羽根駆動部材１１１の係合部１１１ａがメインアーム１４３の穴１４３ａと係合しており、後羽根群は上方向に走行する。
【００６９】
その後、羽根駆動部材１１１はさらに回転し、「（９）羽根走行完了状態」に遷移する。
（９）羽根走行完了状態
図１１は、羽根走行完了状態を示す図である。図１１（ａ）は被写体側から見た図、図１１（ｂ）は使用者側から見た図である。
【００７０】
羽根駆動部材１１１の突出した係合部１１１ａがシャッタ地板１０１の円弧状をした孔１０１ｄの上部の緩衝部材１０３に当接し、後羽根群は停止する。このとき、後羽根群は展開状態となり、シャッタ地板１０１のシャッタ開口部１０１ａおよびカバー板１０２の開口１０２ａはともに遮蔽された状態にある。これにより、撮像素子２３への露光が完了する。
【００７１】
フォトセンサ１３２が羽根駆動部材１１１および後羽根群が羽根走行完了状態であることを検出すると、所定時間後にモータ１４７に通電し、減速ギア列１４８を介してカムギア１２２を回転させ、「（１０）ミラーダウン開始状態」に遷移する。
（１０）ミラーダウン開始状態
図１２は、ミラー駆動レバー１３６を介して行うミラー駆動バネ１３９のチャージ開始状態であるミラーダウン開始状態を示す図である。図１２（ａ）は被写体側から見た図、図１２（ｂ）は使用者側から見た図である。
【００７２】
カムギア１２２の回転により、カムギア１２２のミラーカム１２２ａがミラー駆動レバー１３６のカムフォロワ１３６ａと当接し始める。
【００７３】
その後、カムギア１２２の回転に伴い、カムギア１２２のミラーカム１２２ａがミラー駆動レバー１３６のカムフォロワ１３６ａを押し、ミラー駆動バネ１３９の付勢力に抗して図１２（ａ）において反時計回りに回転する。
【００７４】
メインミラー１３はメインミラー付勢バネ１０７によりダウン方向に付勢され、メインミラー１３の回転軸部１３ａとミラー駆動レバー１３６の当接部１３６ｂが当接した状態で図１２（ａ）において反時計回りに回転し下降する。
【００７５】
さらにモータ１４７への通電を継続し、減速ギア列１４８を介してカムギア１２２を回転させ、「（１１）撮像素子の電荷読み出し開始」に遷移する。
（１１）撮像素子の電荷読み出し開始
電子先幕走行の所定時間後、撮像素子２３の電荷読み出しを開始する。
【００７６】
さらにモータ１４７への通電を継続し、減速ギア列１４８を介してカムギア１２２を回転させ、「（１２）ミラーダウン状態」に遷移する。
（１２）ミラーダウン完了状態
ミラー駆動レバー１３６のカムフォロワ１３６ａは、カムギア１２２のミラーカム１２２ａのカムトップ部に到達し、ミラー駆動レバー１３６はダウン位置に保持される。ミラー駆動レバー１３６を介して、ミラー駆動バネ１３９はチャージした状態で保持される。
【００７７】
メインミラー１３はミラー駆動レバー１３６に設けられたメインミラー付勢バネ１０７によりダウン方向に付勢されているため、メインミラー１３は不図示のストッパーに当接し、ミラーダウン位置で停止する。
【００７８】
この状態でモータ１４７の回路をショートさせ、モータ１４７の回転を停止する制御を行うと、各構成部品は停止して「（１）待機状態」と同じ状態になる。
（１３）撮像素子の電荷読み出し完了
撮像素子２３の電荷読み出しを完了する。電荷読み出し完了後、レリーズ指示動作が継続されている場合には、「（１）待機状態」から「（１３）撮像素子の電荷読み出し完了」までの動作を繰り返し行うことで、連続撮影を行う。
【００７９】
上述したように、撮像素子２３への露光前にカムギア１２２の回転によりシャッタカム１２２ｂが羽根駆動部材１１１に軸支されたコロ１１３と当接して押すことで、羽根駆動バネ１１４をチャージする。
【００８０】
そして露光後、カムギア１２２の回転によりミラーカム１２２ａがミラー駆動レバー１３６のカムフォロワ１３６ａと当接することで、ミラー駆動バネ１３９をチャージする。
【００８１】
これにより、露光の前後にチャージ負荷を分散することができ、消費電流のピーク値を抑制することが可能である。
【００８２】
次に、図１３を参照して、カメラ本体１の背面等に備えられた表示部にリアルタイムに被写体像を表示するライブビュー撮影を行う際における各構成部品の動作について説明する。
（１’）待機状態
各構成部品の状態は、図５を参照して説明した「（１）待機状態」と同じである。ただし、レリーズ動作に代わり、不図示のダイヤルまたはボタン等によりライブビューモードが選択されることにより、「（２）羽根駆動部材チャージ開始状態」に遷移する点が異なる。
【００８３】
「（２）羽根駆動部材チャージ開始状態」から「（４）ミラー駆動レバーとメインミラーとの当接状態」までは図６および図７を参照して既に説明した状態と同様であるため詳細説明は省略する。
（５’）羽根駆動部材チャージ完了状態、および、ミラーアップ完了状態
各構成部品の状態は図８を参照して既に説明した「（５）羽根駆動部材チャージ完了状態、および、ミラーアップ完了状態」と同じである。
【００８４】
「（５）羽根駆動部材チャージ完了状態、および、ミラーアップ完了状態」で説明したように、モータ１４７の回路をショートさせ、モータ１４７の回転を停止する制御を行い、各構成部品を停止させる。
【００８５】
このとき、シャッタ地板１０１のシャッタ開口部１０１ａおよびカバー板１０２の開口１０２ａともに開放されており、交換レンズ５からの光束が撮像素子２３に到達する。撮像素子２３に結像した像をカメラ本体１の背面等に備えられた不図示の液晶表示装置に表示すると、いわゆる、ライブビュー状態となる。
【００８６】
このライブビュー状態では、羽根駆動部材１１１に軸支されたコロ１１３はカムギア１２２のシャッタカム１２２ｂのカムトップ部と当接しているため、コイル１３４への通電を遮断しても後羽根群は走行しない。よって、コイル１３４への通電を遮断した状態でライブビュー状態を維持し続けることが可能であり、消費電力を抑えることが可能である。また、この状態で動画撮影を行うことも可能である。
（６’）コイル通電開始状態
レリーズ指示動作の開始により、コイル１３４への通電を開始し、ヨーク１３３に磁力を発生させてヨーク１３３とアマチャ１１２を吸着状態にする。
【００８７】
同時にモータ１４７に通電し、減速ギア列１４８を介してカムギア１２２を回転させ、各構成部品は「（７）セット開始状態」に遷移する。
【００８８】
「（７）セット解除状態」から「（１３）撮像素子の電荷読み出し完了」までは図９〜図１２を参照して既に説明した状態と同様であるため詳細説明は省略する。
【００８９】
「（１’）待機状態」に戻った後、レリーズ指示動作が継続されている場合には、前述したように、「（１’）待機状態」から「（１３）撮像素子の電荷読み出し完了」までの動作を繰り返し行うことで、連続撮影を行う。
【００９０】
なお、「（１’）待機状態」に戻った後、レリーズ指示動作が終了しており、かつ、ライブビューモードが継続されている場合、「（２）羽根作動部材解除状態」から「（５’）羽根駆動部材チャージ完了状態、および、ミラーアップ完了状態」まで遷移する。すなわち、ライブビュー状態に再度移行する。
【００９１】
以上説明したように、本発明の各部品の構成と動作タイミングにより、ファインダを使用した通常撮影と被写体像を随時液晶に表示するライブビュー撮影の両方の撮影方法に効果的に対応可能である
また、従来の二重遮光方式の電子先幕シャッタ装置に必要な複数の部品が必要なく、各部品の構成が簡易で小型の電子先幕シャッタ装置を備えた撮像装置を提供することが可能となる。
【００９２】
以上、本発明の好ましい実施形態について説明したが、本発明はこれらの実施形態に限定されず、その要旨の範囲内で種々の変形及び変更が可能である。
【００９３】
例えば、本実施形態ではミラー駆動系がフォーカルプレンシャッタに具備されるものとして説明したが、カメラ内部構造部材に具備されるシャッタとは独立したミラー駆動系の構成でも良い。
【符号の説明】
【００９４】
１０１ａ  シャッタ開口部
１１１    羽根駆動部材
１１２    アマチャ
１１４    羽根駆動バネ（付勢部材）
１２２    カムギア（チャージ部材）
１３３    ヨーク
１４１    １番羽根
１４２    ２番羽根
１４３    メインアーム
１４４    サブアーム
【図１】
2015072407.tif 000003
【図２】
2015072407.tif 000004
【図３】
2015072407.tif 000005
【図４】
2015072407.tif 000006
【図５】
2015072407.tif 000007
【図６】
2015072407.tif 000008
【図７】
2015072407.tif 000009
【図８】
2015072407.tif 000010
【図９】
2015072407.tif 000011
【図１０】
2015072407.tif 000012
【図１１】
2015072407.tif 000013
【図１２】
2015072407.tif 000014
【図１３】
2015072407.tif 000015